(57)【特許請求の範囲】
【請求項１】
ケース本体(22)の下部における前側左右または後側左右にキャスタ(48)が配設されると共に、該キャスタ(48)が配設されない後側左右または前側左右に固定脚(46)が配設され、該固定脚(46)を設置床面から浮かすことで移動可能なショーケースにおいて、
前記ケース本体(22)の下部を構成して機械室(24)を画成するベース(44)における水平な底板(44a)の左右両側から立上がる両側板(44c,44c)の上端縁に、外方に向けて水平に延出するキャスタ取付板(44b,44b)が形成され、
前記キャスタ取付板(44b,44b)に前記固定脚(46)およびキャスタ(48)が垂設され、
前記キャスタ(48)が配設される前または後側のケース本体下端部(44d)が該キャスタ(48)の上端より下方に延在し、この下端部(44d)が前記キャスタ(48)に向けて下方傾斜している
ことを特徴とするショーケースの本体構造。
【発明の詳細な説明】
【０００１】
【発明の属する技術分野】
この発明は、ショーケースの本体構造に関し、更に詳細には、ケース本体における下部の前側に一対の固定脚を配設すると共に後側に一対のキャスタを配設し、前記固定脚を設置床面から浮かすことでキャスタを介して移動可能に構成されたショーケースの本体構造に関するものである。
【０００２】
【従来の技術】
食品や飲料品等の被保存物を冷蔵して保存するショーケースが、ショッピングセンタやコンビニエンスストア等に設置されている。このショーケースにおけるケース本体には、内箱と外箱とで画成される空間部分に断熱材を充填した断熱箱体が配設されると共に、該断熱箱体の下方に、圧縮機、凝縮器および電装盤等からなる冷却ユニットを収納する機械室が画成されている。そして、冷却ユニットの冷却運転を開始することで、前記断熱箱体の所要位置に配設した冷却器を介して熱交換した冷気が、該断熱箱体に内部画成した収納室を循環して、該収納室内が所定温度にまで冷却されるようになっている。
【０００３】
前記ショーケースでは、そのケース本体におけるベース下面の４つのコーナー部の夫々にキャスタを配設することで、該ショーケースの設置等に際して移動を容易にするよう構成されている。しかし、この構成ではショーケースを所定位置に設置した状態での移動を阻止するためのストッパ脚が別途必要となり、製造コストが嵩む問題がある。そこで、ベースにおける前側あるいは後側の２つのコーナー部にのみキャスタを配設し、他の２つのコーナー部には固定脚を配設することが行なわれている。この構成のショーケースでは、キャスタを支点としてケース本体を傾動して固定脚を設置床面から浮かせることで、該ケース本体を移動することができると共に、固定脚を設置床面に着地させればストッパとして機能する。
【０００４】
【発明が解決しようとする課題】
全高を抑えた小型タイプのショーケースでは、前記収納室の容積を減少させることなく機械室の容積を充分に確保するために、前記ベースにおけるキャスタが配設されるキャスタ取付部以外の部位を、設置床面に近接する位置まで下げる構成が採られている。この場合、キャスタが配設される後側のベース下端部が、キャスタの上端から所定長さで垂下して設置床面との隙間が小さくなるため、該キャスタを支点としてケース本体を傾動させると、ベースの後側下端部が設置床面に当ってしまい、固定脚を設置床面から浮かすことができなくなる問題があった。すなわち、ベースの下げる長さを短かく設定しなければならず、その分だけ収納室や機械室の容積が減少したり、あるいはショーケースの全高が高くなる難点がある。なお、キャスタ自体を小型化することで、全高を抑えたまま機械室容積を確保することも考えられるが、小型のキャスタでは耐荷重が小さく、またベースの後側下端部と設置床面との隙間も小さくなるから、前述した問題を解消することはできない。
【０００５】
【発明の目的】
本発明は、前述した従来の技術に内在している前記課題に鑑み、これを好適に解決するべく提案されたものであって、ケース本体の下面と設置床面との隙間を小さくしても、キャスタを支点としてケース本体を傾動して固定脚を設置床面から浮かすことができるショーケースの本体構造を提供することを目的とする。
【０００６】
【課題を解決するための手段】
前記課題を克服し、所期の目的を好適に達成するため、本発明に係るショーケースの本体構造は、
ケース本体の下部における前側左右または後側左右にキャスタが配設されると共に、該キャスタが配設されない後側左右または前側左右に固定脚が配設され、該固定脚を設置床面から浮かすことで移動可能なショーケースにおいて、
前記ケース本体の下部を構成して機械室を画成するベースにおける水平な底板の左右両側から立上がる両側板の上端縁に、外方に向けて水平に延出するキャスタ取付板が形成され、
前記キャスタ取付板に前記固定脚およびキャスタが垂設され、
前記キャスタが配設される前または後側のケース本体下端部が該キャスタの上端より下方に延在し、この下端部が前記キャスタに向けて下方傾斜していることを特徴とする。
【０００７】
【発明の実施の形態】
次に、本発明に係るショーケースの本体構造につき、好適な実施例を挙げて、添付図面を参照しながら以下説明する。図１および図２に示すように、実施例に係るショーケース１０は、内箱１２と外箱１４との間にウレタン等の発泡断熱材１６を充填してなる断熱箱体１８と、該箱体１８が載置されるシャーシ２０とを組み合わせたケース本体２２から基本的に構成される。またシャーシ２０の内部に画成される機械室２４には、圧縮機２６や凝縮器２８およびこれらを制御するための各種電装品を収納した電装箱等を備える冷却ユニット３０が配設されている。なお機械室２４の下部には、左右の固定脚４６(後述)と干渉しない位置に、機械室２４等で発生する結露水や除霜水等を集水するドレンパン３２が、ケース本体２２の前側から出し入れ可能に配置されている。
【０００８】
また前記断熱箱体１８の内部下方には、図１に示すように、冷却室３４が画成されており、この冷却室３４の内部に前記冷却ユニット３０を構成する冷却器３６や冷気循環用のファンモータ３７が配設され、該ファンモータ３７の回転により送給される冷気によって断熱箱体１８の内部に画成した収納室３８を冷却するよう構成されている。更に収納室３８の内部には、略水平に配設した棚部材４０が上下方向に所要間隔離間して適宜数配設され、該棚部材４０に被保存物が載置されるようになっている。なお符号４２は、断熱箱体１８の開口部１８ａを開閉する扉を示す。
【０００９】
前記シャーシ２０は、ケース本体２２の下部を構成して前記機械室２４を画成するトレイ状のベース４４を備え、該ベース４４における水平な底板４４ａの左右両側から立上がる両側板４４ｃ,４４ｃの上端縁には、図３に示す如く、所定幅寸法で外方に向けて水平に延出するよう折曲されたキャスタ取付板４４ｂが夫々形成されている。そして、各キャスタ取付板４４ｂの前側に固定脚４６が垂設されると共に、後側にキャスタ４８が垂設される。すなわち、ベース４４(ケース本体２２の下部)には、前側における左右両側に固定脚４６が夫々配設されると共に、後側の左右両側に固定脚４６と高さを略同一にしたキャスタ４８が夫々配設され、ケース本体２２は固定脚４６,４６およびキャスタ４８,４８が設置床面に接した状態で設置される。
【００１０】
前記ベース４４の後板(ケース本体下端部)４４ｄは、前記キャスタ取付板４４ｂに配設されたキャスタ４８の上端より下方に延在すると共に、その上方から下方に向かうにつれて該キャスタ４８に向けて下方傾斜するよう構成される。これにより、キャスタ４８を支点としてケース本体２２を、前記固定脚４６を設置床面から浮く方向(後方)に傾動した場合に、該後板４４ｄの下端が設置床面に当たるのが防止されるようになっている。
【００１１】
前記ベース４４における一方の側板４４ｃには、前記凝縮器２８を空冷する外気を取入れるための吸気口５０が開設され、また他方の側板４４ｃには、該吸気口５０と対応する排気口５２が開設されている。吸気口５０および排気口５２は、前記キャスタ取付板４４ｂ,４４ｂの延出分だけショーケース１０の側面部１０ａよりも内側に位置しており、各側面部１０ａを壁面等に当接した状態であっても、外気の吸排気がスムーズになされるよう構成されている。なお、壁面と側板４４ｃとで画成される空間は、ショーケース１０の図示しない電源コードの配設スペースとしても利用し得るようになっている。
【００１２】
【実施例の作用】
次に、前述した実施例に係るショーケースの本体構造の作用につき説明する。前記ショーケース１０では、ベース４４のキャスタ４８が配設される後側に位置する後板４４ｄは、キャスタ４８に向けて所定角度で下方傾斜している。従ってショーケース１０を移動させる際に、図４に示すように、前記キャスタ４８を支点として、ケース本体２２を後方に傾動させても後板４４ｄの下端が設置床面に当接することなく、前側に配設されている固定脚４６を設置床面から浮かすことができ、キャスタ４８による移動を支障なく行ない得る。すなわち、底板４４ａの下面と設置床面との隙間を小さくすることができ、前記収納室３８や機械室２４の容積を充分に確保したもとで、ショーケース１０の全高を低く抑えることができる。またキャスタ取付板４４ｄは底板４４ａの下面から所定高さだけ上方に位置しているから、キャスタ４８として大型で強度の高いものを使用することができる。なお、固定脚４６は設置床面に着地した状態でストッパとして機能するから、別途ストッパ脚を設ける必要はない。
【００１３】
またベース４４の底板４４ａに対して前記キャスタ取付板４４ｂが外方に延出しており、前記吸気口５０および排気口５２が形成される側板４４ｃ,４４ｃの外方には、該キャスタ取付板４４ｂの延出分の空間が画成されるから、両口５０,５２が壁等で塞がれることなく、機械室２４に対する吸排気等をスムーズに行なうことができる。
【００１４】
なお実施例では、ベースの後側にキャスタを配設した場合で説明したが、該ベースの前側にキャスタを配設すると共に後側に固定脚を配設した構成においては、ベースの前板をキャスタに向けて下方傾斜させるようにすればよい。また実施例では、前記収納室を冷却するショーケースを例に挙げたが、該ショーケースとしては収納室を加温する形式のものや、収納室を冷却も加温もしない形式であってもよい。
【００１５】
【発明の効果】
以上説明した如く、本発明に係るショーケースの本体構造では、ケース本体の下部におけるキャスタが配設される前側または後側の下端部を傾斜させたので、該ケース本体の下面と設置床面との隙間を小さくしても、該下端部が設置床面に当接することなくケース本体をキャスタを支点として固定脚を設置床面から浮かせる方向に傾動することができる。従って、ショーケースに内部画成される収納室や機械室の容積を充分に確保したもとで、該ショーケースの全高を低く抑えることができる。また、キャスタ取付板は底板の下面から所定高さだけ上方に位置しているから、キャスタとして大型で強度の高いものを使用することができる。
【図面の簡単な説明】
【図１】  本発明の好適な実施例に係る本体構造を採用したショーケースの縦断側面図である。
【図２】  実施例に係る本体構造を採用したショーケースを示す正面図である。
【図３】  実施例に係るベースを示ものであって、(ａ)は平面図および左右両側面図であり、(ｂ)は正面図である。
【図４】  実施例に係るショーケースの傾動状態図である。
【符号の説明】
２２ ケース本体，４４ｄ 後板(ケース本体下端部)，４６ 固定脚
４８ キャスタ
【図１】
0004063484.tif 000002
【図２】
0004063484.tif 000003
【図３】
0004063484.tif 000004
【図４】
0004063484.tif 000005